【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
無線パケット・データ・ネットワーク内でリアルタイム・データ・トラフィックを伝送するためにマルチユーザ環境でチャネルを割り振る方法であって、
複数の移動局に関連付けられた複数の周波数チャネルに関連付けられたチャネル状態情報と送信機における前記複数の周波数チャネル間の均一な電力分配の予備的仮定とに基づいて、前記複数の移動局のそれぞれについてチャネルごとの推測的データ速度を決定するステップと、
前記複数の移動局のそれぞれについてチャネルごとの推測的データ速度に基づいて、前記複数の周波数チャネルから一意の周波数チャネルを前記複数の移動局のうちの少なくとも１つに割り振るステップと、を含む方法。
【請求項２】
前記リアルタイム・トラフィック伝送に使用可能な所与の最大基地局電力が、各周波数チャネルを割り振るときに前記複数の周波数チャネルのうちの使用可能なチャネル間で均一に共用されるものと仮定するステップをさらに含む、請求項１に記載の方法。
【請求項３】
前記複数の周波数チャネルから一意の周波数チャネルを割り振るステップが、
前記一意の周波数チャネルを割り振った後で電力およびビットを割り振るステップをさらに含む、請求項１に記載の方法。
【請求項４】
前記一意の周波数チャネルを割り振った後で電力およびビットを割り振るステップが、
基地局から前記リアルタイム・トラフィック伝送を伝送するための一意の直交周波数分割多重（ＯＦＤＭ）チャネルを前記移動局に割り振るステップであって、前記一意のＯＦＤＭチャネルが、前記複数の移動局のうちの他の移動局に関連付けられたＯＦＤＭチャネルとは異なるステップをさらに含む、請求項３に記載の方法。
【請求項５】
前記チャネル状態情報に基づいて、直交周波数分割多重（ＯＦＤＭ）チャネルを前記複数の移動局に割り振るための推測的速度マトリックスを事前に計算するステップをさらに含む、請求項１に記載の方法。
【請求項６】
「推測的」速度マトリックスを事前に計算するステップが、
Ｋ人のユーザおよびＮ個のチャネルを対象にした
【数１】
2010517421.tif 000001
によって得られる「推測的」速度割り振りマトリックスを取得するステップをさらに含み、前記複数の移動局のそれぞれについて、前記複数の周波数チャネルのすべての使用可能なチャネルについてデータ速度Ｒ１１〜ＲＫＮが計算され、マトリックス風の速度バッファに記憶される、請求項５に記載の方法。
【請求項７】
グリーディ・アルゴリズムを使用することにより電力およびビットを割り振る前に、周波数チャネルを割り振るための前記推測的速度割り振りマトリックスを使用するステップをさらに含む、請求項６に記載の方法。
【請求項８】
所与の最高速度の周波数チャネルを割り振るために前記複数の移動局のうちの１つから始めて、前記複数の移動局のうちの次の移動局にラウンド・ロビン方式で進むことにより、ラウンド・ロビン・アルゴリズムに基づいて周波数チャネルを割り振るための前記推測的速度割り振りマトリックスを使用するステップをさらに含む、請求項６に記載の方法。
【請求項９】
所望の速度と、前記周波数チャネルを割り振ることによりすでに割り当てられた合計速度との差を利用することにより、差分アルゴリズムに基づいて周波数チャネルを割り振るために、前記推測的速度割り振りマトリックスを使用するステップをさらに含む、請求項６に記載の方法。
【請求項１０】
第１の周波数チャネルを前記複数の移動局のうちの第１の移動局に割り当てる利点を示す利点パラメータと他の移動局にこの周波数チャネルを与えないことによる他の移動局への損害を示す損害パラメータとに基づいたメトリックを使用することにより、フェアネス・アウェア・アルゴリズムに基づいて周波数チャネルを割り振るための前記推測的速度割り振りマトリックスを使用するステップをさらに含む、請求項６に記載の方法。
【請求項１１】
無線通信システム内でリアルタイム・トラフィック伝送を伝送するためにマルチユーザ環境でチャネルを割り振るための送信機であって、
複数の移動局の各個別の移動局のデータ・ストリームを別々に符号化するための複数のエンコーダと、
伝送ビットおよび伝送電力を前記複数の移動局に割り振るために前記複数のエンコーダに結合された第１のリソース・アロケータと、
前記複数のエンコーダに結合された第２のリソース・アロケータとを含み、前記第２のリソース・アロケータは、
前記複数の移動局のそれぞれについて、前記複数の移動局に関連付けられた複数の周波数チャネルに関連付けられたチャネル状態情報と前記複数の周波数チャネル間の均一な伝送電力分配の予備的仮定とに基づいて、チャネルごとの推測的データ速度を決定し、ならびに
前記複数の移動局のそれぞれについて、チャネルごとの前記推測的データ速度に基づいて、前記複数の周波数チャネルから一意の周波数チャネルを前記複数の移動局のうちの少なくとも１つに割り振るものである、送信機。
【請求項１２】
前記複数の周波数チャネルを別々に変調するための、前記第１および第２のリソース・アロケータに結合された複数の変調器をさらに備えた、請求項１１に記載の送信機。
【請求項１３】
前記複数の移動局ユーザのそれぞれについて、高速データ・トラフィックの伝送のための高速フーリエ変換器をさらに備えた、請求項１１に記載の送信機。
【請求項１４】
複数のＯＦＤＭチャネルを前記複数の移動局に割り振るために基地局内に配置された、請求項１３に記載の送信機。
【請求項１５】
複数のＯＦＤＭチャネルを前記複数の移動局に割り振るために基地局ルータ内に配置された、請求項１３に記載の送信機。
【請求項１６】
実行されると、無線通信システムが、
無線パケット・データ・ネットワーク内でリアルタイム・トラフィック伝送を伝送するために複数の周波数チャネルの少なくとも１つを割り振るために、複数の移動局のそれぞれについて、前記複数の移動局に関連付けられた前記複数の周波数チャネルに関連付けられたチャネル状態情報と送信機における前記複数の周波数チャネル間の均一な伝送電力分配の予備的仮定とに基づいて、チャネルごとの推測的データ速度を決定し、そして、
前記複数の移動局のそれぞれについて、チャネルごとの前記推測的データ速度に基づいて、前記複数の周波数チャネルから一意の周波数チャネルを前記複数の移動局のうちの少なくとも１つに割り振る、
という命令を記憶するコンピュータ可読媒体を備えた物品。
【請求項１７】
実行されると、無線通信システムが、
前記リアルタイム・トラフィック伝送に使用可能な所与の最大基地局伝送電力が、各周波数チャネルを割り振るときに前記複数の周波数チャネルのうちの使用可能なチャネル間で均一に共用されるものと仮定する、
という命令を記憶する媒体を備えた、請求項１６に記載の物品。
【請求項１８】
実行されると、無線通信システムが、
前記一意の周波数チャネルを割り振った後で伝送電力およびビットを割り振る、
という命令を記憶する媒体を備えた、請求項１６に記載の物品。
【請求項１９】
実行されると、無線通信システムが、
基地局から前記リアルタイム・トラフィック伝送を伝送するための一意の直交周波数分割多重（ＯＦＤＭ）チャネルを前記移動局に割り振る、
という命令を記憶する媒体を備え、前記一意のＯＦＤＭチャネルが、前記複数の移動局のうちの他のいずれか１つに関連付けられたＯＦＤＭチャネルとは異なる、請求項１６に記載の物品。
【請求項２０】
実行されると、無線通信システムが、
前記チャネル状態情報に基づいて、直交周波数分割多重（ＯＦＤＭ）チャネルを前記複数の移動局に割り振るための推測的速度マトリックスを事前に計算する、
という命令を記憶する媒体を備えた、請求項１６に記載の物品。